(57)【要約】【課題】大画面、高解像度の表示装置に映像を表示する場合、その映像に付加されている情報、たとえば文字情報、ＯＳＤ、図形情報なども映像と一緒に映像処理される。しかしこの方法では映像付加情報の品質が損なわれてしまう。【解決手段】少なくとも映像情報と映像付加情報を出力する映像再生装置と、前記情報を伝送する伝送手段を具備し、前記伝送手段の出力を拡大・縮小する映像処理部と、前記映像付加情報を再生する映像付加情報再生部、前記映像処理部の出力と、前記付加情報再生部の出力とを合成する合成部、前記合成部の出力を表示する表示デバイスを具備することを特徴とする。【選択図】図１
2008294693.tif 000002
【特許請求の範囲】
【請求項１】
少なくとも映像情報と映像付加情報を出力する映像再生装置と、
前記少なくとも映像情報と映像付加情報を伝送する伝送手段とを備えた映像再生装置からの信号を処理する映像表示装置であって、
前記伝送手段の出力の映像情報を処理する映像処理部と、
前記伝送手段の出力の映像付加情報を再生する映像付加情報再生部と、
前記映像処理部の出力と前記付加情報再生部の出力とを合成する合成部と、
前記合成部の出力を表示する表示デバイスを具備した映像表示装置。
【請求項２】
前記映像付加情報再生部は、
前記映像付加情報が表示文字データのエンコードデータの場合に、文字コードデコード処理を行うデコード手段と、
前記デコード手段によりデコードしたデータを格納するメモリと、
前記メモリに格納されたデータを映像表示装置の有する文字フォントデータに展開する展開手段とを備えたことを特徴とする請求項１記載の映像表示装置。
【発明の詳細な説明】
【技術分野】
【０００１】
本発明は、映像データに付加される映像付加情報の品質を向上させるための映像表示装置に関する。
【背景技術】
【０００２】
近年では、いわゆるプラズマテレビに代表されるような大画面・高画質の映像表示装置の普及が進んでいる。フルＨＤといわれる１９２０×１０８０の解像度を持つパネルも生産が加速してきており、大型化、高解像度化はますます進むと思われる。
【０００３】
図２に、従来の映像再生装置と映像表示装置の構成を示す。図２において、０１は映像再生装置、０２は映像生成部、０３は映像付加情報生成部、０４は映像情報、０５は映像付加情報、０６は合成部、０７は合成映像出力、０８は映像表示装置、０９は映像処理部、１０は映像出力、１１は表示デバイスである。
【０００４】
従来では、映像再生装置０１の映像生成部０２の出力である映像情報０４と映像付加情報生成部０３の出力である映像付加情報０５を、合成部０６で合成し、合成映像出力０７として出力、映像受信装置０８は合成映像出力を表示デバイス１１の解像度に合わせて映像処理部０９で拡大・縮小処理し、その映像出力１０を表示デバイス１１へ出力する方法が知られている。本発明に関連する参考文献として次の文献が公開されている。
【特許文献１】特開２００６−２１１４８８号公報
【発明の開示】
【発明が解決しようとする課題】
【０００５】
上記従来技術のもとでは、映像再生装置で映像と、映像付加情報を合成し出力するため、映像表示装置では、映像と共に映像付加情報も共に拡大・縮小処理を行っていた。しかしながら、この方法では、たとえば文字等の映像付加情報に対しても映像と共に拡大・縮小処理がされることにより、文字の品質が損なわれるという課題があった。
【０００６】
本発明は上記の課題を解消するためになされたもので、特に、映像信号以外に付加される文字等の映像付加情報を映像表示装置で再生する場合において、映像付加情報の品質を向上する映像受信装置を提供することを目的とする。
【課題を解決するための手段】
【０００７】
上記の課題を解決するために、本発明の映像表示装置は、少なくとも映像情報と映像付加情報を出力する映像再生装置と、前記情報を伝送する伝送手段を具備し、前記伝送手段の出力を拡大・縮小する映像処理部と、前記映像付加情報を再生する映像付加情報再生部、前記映像処理部の出力と、前記付加情報再生部の出力とを合成する合成部、前記合成部の出力を表示する表示デバイスを具備することを特徴とする。
【発明の効果】
【０００８】
本発明によれば、映像付加情報を映像表示装置で再生することにより、映像付加情報の品質を向上させることが可能となる。
【発明を実施するための最良の形態】
【０００９】
（実施の形態１）
以下に、図面を参照しながら、本発明を実施するための最良の形態について詳細に説明する。  図１は、本発明の実施形態に係る映像表示装置を示すブロック構成図である。この構成に基づいて本発明の一つの実施例を説明する。図１に示すように、本発明は、映像信号を送信する映像再生装置１０１と、映像再生装置１０１からの信号１０２を送信する伝送手段と、映像再生装置１０１からの信号１０２を受信して処理する映像処理部１０４と、映像再生装置１０１からの信号１０２のうち、映像に付加された映像付加情報を再生する映像付加情報再生部１０５と、映像処理部１０４からの出力と映像付加情報再生部０１５からの出力とを合成する合成部１０６と、合成部１０６で合成された信号を表示する表示デバイス１０７とにより構成される映像表示装置１０３により構成されている。
【００１０】
ここで、映像再生装置１０１は、例えばＤＶＤプレーヤー等であり、少なくとも映像情報と映像付加情報を出力するものである。なお、映像再生装置としては、映像表示装置１０３に表示可能な映像とさらに映像付加情報を出力する機器であれば良く、ＤＶＤプレーヤー等に限定されるものではない。
【００１１】
また、映像再生装置１０１と映像表示装置１０３は、映像信号及び映像付加情報を伝送できればよく、その接続形態は有線・無線を問わず、また、映像再生装置以外にも、記録媒体等に映像信号及び映像付加情報が入力されている場合には、その記録媒体を映像表示装置１０３に直接挿入等することにより構成することも可能である。
【００１２】
また、映像付加情報とはたとえば、映像に付いてくる文字や、ＯＳＤ、図形などが一例として挙げられる。また、１０２はたとえば無線放送に対応したアンテナあるいは有線放送に対応した伝送手段（図示せず）の映像出力である。
【００１３】
ここで、映像表示装置１０３は、映像処理部１０６、映像付加情報再生部１０５、合成部１０６と映像を表示する表示デバイス（ディスプレイ）１０７を備えている。これらの構成についてより詳細に説明する。
【００１４】
映像処理部１０４では、伝送手段１０２の出力から得られる映像情報を処理する。処理内容はたとえば、表示デバイスの解像度に合わせて拡大するといった処理が挙げられる。また、映像付加情報再生部１０５は、伝送手段１０２の出力から映像付加情報を受け取り、映像付加情報を再生する。方法としては、たとえば映像付加情報が表示文字データのエンコードデータの場合、文字コードデコード処理を行い、結果をメモリに格納し、映像表示装置の有する文字フォントデータに展開する手段がある。また、合成部１０６は拡大部によって拡大された映像情報と、映像付加情報再生部によって再生された映像付加情報を合成し、表示デバイス１０７へ出力する。
【００１５】
なお、より詳細には、映像付加情報再生部は、映像付加情報が表示文字データのエンコードデータの場合に、文字コードデコード処理を行うデコード手段と、デコード手段によりデコードしたデータを格納するメモリと、メモリに格納されたデータを映像表示装置の有する文字フォントデータに展開する展開手段とにより構成されている。
【００１６】
なお、映像再生装置から送信される信号中に映像付加情報が表示文字データのエンコードデータであるか否かを示すフラグ（情報）を追加する構成にすることも可能である。
【００１７】
以上のような構成により、本願発明においては、映像情報に加えて、映像付加情報が伝送された場合であっても、映像表示装置において、映像信号を処理する映像処理部１０４と映像付加情報を処理する映像負荷情報再生部１０５とを備えたことにより、映像情報と映像付加情報とを異なる処理を行い、特に、映像付加情報をコードデータとして処理を行い、さらに、映像表示装置の有する文字フォントデータで表示することにより、文字等の映像付加情報に対しても映像と共に拡大・縮小処理がされることにより、文字の品質が損なわれるという問題を回避することが可能になる。
【産業上の利用可能性】
【００１８】
本発明にかかる映像表示装置では、映像付加情報を映像表示装置で再生することにより、映像付加情報の品質を向上させることが可能となるものであり、特に、映像データに付加される映像付加情報の品質を向上させるための映像表示装置において有用である。
【図面の簡単な説明】
【００１９】
【図１】本発明の映像表示装置によるブロック構成図
【図２】従来の映像表示装置によるブロック構成図
【符号の説明】
【００２０】
１０１    映像再生装置
１０２    伝送手段
１０３    映像表示装置
１０４    映像処理部
１０５    映像付加情報再生部
１０６    合成部
１０７    表示デバイス
【図１】
2008294693.tif 000003
【図２】
2008294693.tif 000004